(57)【要約】      （修正有）【課題】予め向きが決められている用紙の束を構成する各用紙の向きを揃えることが可能な搬送装置を提供すること。【解決手段】リーダにより給紙されたＲＦＩＤ用紙のＲＦＩＤタグの添付位置が検出される（Ｓ２０２）。その後、Ｓ２０５にてＲＦＩＤタグの添付位置が左前と判断された場合（Ｓ２０５：Ｙｅｓ）、そのＲＦＩＤ用紙は、画像形成部により印刷ジョブ内の一頁分の印刷データが印刷され（Ｓ２０６）、第１排紙トレイに排紙される（Ｓ２０７）。一方、Ｓ２０５にてＲＦＩＤタグの添付位置が右前と判断された場合（Ｓ２０５：Ｎｏ）、そのＲＦＩＤ用紙は、空送りが実行され（Ｓ２０８）、第２排紙トレイに排紙される（Ｓ２０９）。【選択図】図５
2010179991.tif 000002
【特許請求の範囲】
【請求項１】
用紙を搬送する搬送部と、
前記搬送部により搬送された前記用紙を排紙する複数の排紙部と、
前記用紙の向き情報を読み取って当該用紙の向きを検出する検出部と、
前記検出部によって検出された少なくとも一種類の同一の向きの前記用紙を同一の前記排紙部へ排紙する制御部と、
を備えることを特徴とする搬送装置。
【請求項２】
請求項１に記載の搬送装置において、
前記用紙に印刷ジョブによる画像を印刷する印刷部を備え、
前記印刷部は、前記検出部によって検出された前記同一の向きの用紙に前記印刷ジョブの画像を印刷することを特徴とする搬送装置。
【請求項３】
請求項１または請求項２に記載の搬送装置において、
前記検出部は、前記用紙の前記向き情報と無線通信をすることで前記用紙の向きを検出することを特徴とする搬送装置。
【請求項４】
請求項３に記載の搬送装置において、
前記搬送部は、前記用紙を反転させ搬送方向を逆向きにさせるスイッチバック部を有し、
前記スイッチバック部は、前記検出部による前記用紙の前記向き情報に応じて、前記用紙を反転させ搬送方向を逆向きにすることを特徴とする搬送装置。
【請求項５】
請求項３または請求項４に記載の搬送装置において、
前記搬送部による搬送に用いる前記用紙を格納する複数の給紙部と、
前記複数の給紙部内にそれぞれ格納されている複数の前記用紙の前記向き情報を検出することで、前記複数の用紙の向きに応じた当該用紙の量を検出可能な一括検出部と、
を備え、
前記一括検出部によって検出された前記複数の用紙の前記向きに基づく当該用紙の量に応じて、前記前記給紙部を決定することを特徴とする搬送装置。
【請求項６】
請求項２から請求項５のいずれか一つに記載の搬送装置において、
前記印刷ジョブが一枚の前記用紙に印刷するジョブであることに応じて、前記制御部による前記制御をしないことを特徴とする搬送装置。
【請求項７】
請求項２から請求項５のいずれか一つに記載の搬送装置において、
前記排紙部は、排紙された前記用紙を前記印刷ジョブ毎にまとめるフィニッシュ部を有し、
前記フィニッシュ部は、前記制御部にて制御され排紙された前記印刷ジョブ毎の前記用紙をまとめることを特徴とする搬送装置。
【発明の詳細な説明】
【技術分野】
【０００１】
本発明は、用紙を搬送可能な搬送装置に関する。
【背景技術】
【０００２】
従来より、装置内を搬送される用紙の表裏や天地を判別する技術は周知の技術である。
【０００３】
例えば、下記特許文献には、ＲＦＩＤタグ付きの印刷用紙のＲＦＩＤタグの検出位置に基づいて印刷用紙の表裏と天地を判別し、その判別された印刷用紙の状態に応じた印刷をする印刷装置の技術が開示されている。
【先行技術文献】
【特許文献】
【０００４】
【特許文献１】特開２００４−２８４２５０号公報
【発明の概要】
【発明が解決しようとする課題】
【０００５】
しかしながら、上記特許文献は、用紙に付けられているＲＦＩＤの位置に応じて、用紙の向きに応じた印刷をする技術であるが、排紙トレイなどの排紙部に排紙される際のことは考慮されていない。即ち、排紙部に排紙された用紙の束を構成する各用紙の向きは一様にならない可能性がある。
【０００６】
使用者が用紙の束を扱う場合、用紙の束を構成する各用紙の向きが一様でないと、その後の処理（例えば他者へ配布する処理や用紙の束のフィニッシュ処理など）に不都合が生じ、当該用紙の束を扱いづらい可能性がある。
【０００７】
本発明は上記した課題を解決するためになされた発明であり、その目的とするところは、予め向きが決められている用紙の束を構成する各用紙の向きを揃えることが可能な搬送装置を提供することである。
【課題を解決するための手段】
【０００８】
この目的を達成するために、請求項１に記載の搬送装置は、用紙を搬送する搬送部と、前記搬送部により搬送された前記用紙を排紙する複数の排紙部と、前記搬送部により搬送される前記用紙の向き情報を読み取って当該用紙の向きを検出する検出部と、前記検出部によって検出された少なくとも一種類の同一の向きの前記用紙を同一の前記排紙部へ排紙する制御部と、を備えることを特徴とする。
【０００９】
また、請求項２に記載の搬送装置は、請求項１に記載の搬送装置において、前記用紙に印刷ジョブによる画像を印刷する印刷部を備え、前記印刷部は、前記検出部によって検出された前記同一の向きの用紙に前記印刷ジョブの画像を印刷することを特徴とする。
【００１０】
また、請求項３に記載の搬送装置は、請求項１または請求項２に記載の搬送装置において、前記検出部は、前記用紙の前記向き情報と無線通信をすることで前記用紙の向きを検出することを特徴とする。
【００１１】
また、請求項４に記載の搬送装置は、請求項３に記載の搬送装置において、前記搬送部は、前記用紙を反転させ搬送方向を逆向きにさせるスイッチバック部を有し、前記スイッチバック部は、前記検出部による前記用紙の前記向き情報に応じて、前記用紙を反転させ
搬送方向を逆向きにすることを特徴とする。
【００１２】
また、請求項５に記載の搬送装置は、請求項３または請求項４に記載の搬送装置において、前記搬送部による搬送に用いる前記用紙を格納する複数の給紙部と、前記複数の給紙部内にそれぞれ格納されている複数の前記用紙の前記向き情報を検出することで、前記複数の用紙の向きに応じた当該用紙の量を検出可能な一括検出部と、を備え、前記一括検出部によって検出された前記複数の用紙の前記向きに基づく当該用紙の量に応じて、前記前記給紙部を決定することを特徴とする。
【００１３】
また、請求項６に記載の搬送装置は、請求項２から請求項５のいずれか一つに記載の搬送装置において、前記印刷ジョブが一枚の前記用紙に印刷するジョブであることに応じて、前記制御部による前記制御をしないことを特徴とする。
【００１４】
また、請求項７に記載の搬送装置は、請求項２から請求項５のいずれか一つに記載の搬送装置において、前記排紙部は、排紙された前記用紙を前記印刷ジョブ毎にまとめるフィニッシュ部を有し、前記フィニッシュ部は、前記制御部にて制御され排紙された前記印刷ジョブ毎の前記用紙をまとめることを特徴とする搬送装置。
【発明の効果】
【００１５】
＜請求項１の発明＞
用紙の向きを用紙上の向き情報から検出し、少なくとも一種類の同一の向きの用紙を同一の排紙部に排紙することで、予め向きが決められている用紙にて用紙の束を構成する場合、当該用紙の束における各用紙の向きを揃えることが可能である。
【００１６】
＜請求項２の発明＞
同一の向きの用紙に印刷部による印刷が実行されることで、印刷された用紙の束を構成する各用紙の向きが揃えられているため、排紙後に印刷された用紙の束を扱いやすくなる。
【００１７】
＜請求項３の発明＞
ＲＦＩＤタグが添付された用紙など、用紙の表からでも裏からでも向き情報を読み取ることが可能な用紙に対して、用紙の向きを検出することが可能である。
【００１８】
＜請求項４の発明＞
用紙の向きを用紙の表からでも裏からでも検出可能なため、スイッチバックさせることで用紙の向きを揃えることが可能である。
【００１９】
＜請求項５の発明＞
複数の給紙部内における各用紙の向きに基づく用紙の量を検出可能であることで、給紙部内における用紙の束の状態に応じて、適切に給紙部を選択可能である。
【００２０】
＜請求項６の発明＞
印刷ジョブが一頁分（単頁分）のジョブである場合、印刷された用紙の束は一つのまとまりとして用いられる可能性が少ない。
【００２１】
よって、このような場合、排紙部に排紙される用紙の向きが揃っていなくても、使用者にとって問題となることは少ない。
【００２２】
＜請求項７の発明＞
印刷ジョブ毎に一つの用紙の束が出来上がるので、それをまとめ処理（フィニッシュ処
理）することで、適切な用紙の束を作成することが出来る。
【図面の簡単な説明】
【００２３】
【図１】図１はプリンタの概略構成を示す概念図である。
【図２】図２は第１給紙カセットの概略構成を示す概念図である。
【図３】図３はプリンタの電気的構成を示すブロック図である。
【図４】図４は印刷処理の一例を示したフローチャートである。
【図５】図５は複数頁印刷処理の一例を示したフローチャートである。
【図６】図６は給紙カセット選択処理の一例を示したフローチャートである。
【図７】図７は単頁印刷処理の一例を示したフローチャートである。
【発明を実施するための最良の形態】
【００２４】
以下、本発明にかかる搬送装置を具体化した実施の形態について、添付図面を参照しつつ詳細に説明する。本形態は、ＲＦＩＤ（Ｒａｄｉｏ  Ｆｒｅｑｕｅｎｃｙ  ＩＤｅｎｔｉｆｉｃａｔｉｏｎ）タグにアクセス可能なプリンタに本発明を適用したものである。
【００２５】
＜プリンタの全体構成＞
図１は本発明の搬送装置の一例としてのプリンタ１００の中央断面図である。なお、説明の便宜上、図中右左方向に前後軸を取り、図中上下方向に上下軸を取っている。また、図１では示されていないが、図中手前奥方向に左右軸を取っている。
【００２６】
プリンタ１００は、図１に示すように、用紙に画像を印刷する本発明の印刷部の一例としての画像形成部１０を備えている。画像形成部１０は、周知の電子写真方式によって画像を形成するものであり、トナー像（画像）を形成して当該トナー像を用紙に転写するプロセス部５０と、未定着のトナー像を用紙に定着させる定着装置８と、画像形成前の用紙を格納する本発明の給紙部の一例としての第１給紙カセット９０及び第２給紙カセット９１と、画像形成後の用紙を載置する本発明の排紙部の一例としての第１排紙トレイ９２及び第２排紙トレイ９３とを備えている。
【００２７】
画像形成部１０内には、底部に位置する第１給紙カセット９０ないし第２給紙カセット９１に収容された用紙が、給紙ローラ７２または給紙ローラ，７３、プロセス部５０、定着装置８を通り、排紙ローラ７４または排紙ローラ７５を介して上部の第１排紙トレイ９２ないし第２排紙トレイ９３へ導かれるように、略Ｓ字形状の搬送経路７１が設けられている。
【００２８】
すなわち、画像形成部１０は、第１給紙カセット９０ないし第２給紙カセット９１に載置されている用紙を１枚ずつ取り出し、その用紙をプロセス部５０に搬送し、プロセス部５０にて形成されたトナー像をその用紙に転写する。さらに、トナー像が転写された用紙を定着装置８に搬送し、トナー像をその用紙に熱定着させる。そして、定着後の用紙を第１排紙トレイ９２ないし第２排紙トレイ９３に排出する。なお、給紙ローラ７２，７３、排紙ローラ７４，７５は本発明の搬送部の一例に相当する。
【００２９】
また、画像形成部１０内には、排紙ローラ７４または排紙ローラ７５を上記画像形成時とは逆に回転させ、スイッチバックローラ７７，７８を通り、給紙ローラ７２，７３とプロセス部５０の間に用紙を搬送するスイッチバック経路７６が設けられている。
【００３０】
すなわち、画像形成部１０は、排紙ローラ７４または排紙ローラ７５まで達した用紙を逆方向に搬送させ、プロセス部５０まで再度搬送することが可能である。その際、用紙の裏と表とが反転するため、用紙は裏表が反転しつつ搬送方向が逆転した形となる。なお、排紙ローラ７４，７５と、スイッチバックローラ７７，７８は、本発明のスイッチバック
部に一例に相当する。
【００３１】
プロセス部５０は、カラー画像の形成が可能であり、シアン，マゼンタ，イエロー，黒の各色に対応する作像部５０Ｃ，５０Ｍ，５０Ｙ，５０Ｋが搬送路７１に沿って並設されている。各作像部５０Ｃ，５０Ｍ，５０Ｙ，５０Ｋは、公知の電子写真方式によってトナー像を形成するものであり、感光体，帯電装置，露光装置，現像装置，転写装置，クリーニングブレードなどによって構成される。プロセス部５０では、各作像部５０Ｃ，５０Ｍ，５０Ｙ，５０Ｋでトナー像を形成し、各トナー像を搬送路７１上に搬送された用紙上に重ね合わせることでカラー画像を形成する。
【００３２】
また、画像形成部１０は、所定範囲内に存在するＲＦＩＤタグを検出することが可能な本発明の検出部の一例としてのリーダ５１を備えている。リーダ５１は、ＲＦＩＤタグが添付された用紙（「ＲＦＩＤ用紙」とする）が搬送路７１上に搬送された場合に、そのＲＦＩＤタグにアクセス可能な範囲に備えられている。
【００３３】
さらに、リーダ５１は、図１の図面上の手前奥方向（左右方向）のどの位置にＲＦＩＤタグが添付されているかも検出可能であるため、ＲＦＩＤ用紙上の搬送方向と直行する方向のどの位置にＲＦＩＤタグが添付されているかを検出可能である。また、リーダ５１は、ＲＦＩＤ用紙が近傍を搬送される際にＲＦＩＤタグを検出する。よって、例えば、給紙ローラ７２または給紙ローラ，７３によりＲＦＩＤ用紙が給紙されるタイミングからＲＦＩＤタグを検出したタイミングまでの時間を検出することで、ＲＦＩＤ用紙上の搬送方向のどの位置にＲＦＩＤタグが添付されているかを検出可能である。
【００３４】
従って、リーダ５１により、ＲＦＩＤ用紙のどの位置にＲＦＩＤタグが添付されているかを検出可能である。
【００３５】
なお、第２排紙トレイ９３の前面側（前上側）には、液晶ディスプレイからなる表示部と、スタートキー，ストップキー，テンキーなどから構成されるボタン群とを備えた操作パネル４０（図３参照）が設けられ、この操作パネル４０により動作状況の表示やユーザによる入力操作が可能になっている。
【００３６】
さらに、第１排紙トレイ９２上には、フィニッシュ部４１（図３参照）が備えられており、排紙された複数枚の用紙にフィニッシュ処理としてパンチング処理やホッチキス処理などの処理を実行可能である。即ち、フィニッシュ部４１によって排紙された複数毎の用紙を、用紙の束としてまとめることが可能である。
【００３７】
また、搬送路７１上のリーダ５１及びプロセス部５０は、搬送路７１上の距離Ａが、ＲＦＩＤ用紙の搬送方向の長さ以上の距離に配置されている。このような構成により、搬送路７１上を搬送されるＲＦＩＤ用紙は、ＲＦＩＤ用紙の下流端がリーダ５１を通過し終わった後に、ＲＦＩＤ用紙の上流端がプロセス部５０に達する。すなわち、リーダ５１によるＲＦＩＤタグの検出とプロセス部５０による画像の形成は、ＲＦＩＤ用紙が搬送される間において独立して行われる処理である。
【００３８】
＜給紙カセットの構成及びＲＦＩＤ用紙の構成＞
図２は第１給紙カセット９０を図１における上方向から下方向に見た図である。なお、説明の便宜上、図中左右方向に左右軸を取り、図中上下方向に前後軸を取っている。また、図２では示されていないが、図中手前奥方向に上下軸を取っている。
【００３９】
第１給紙カセット９０は用紙を積載し収容するためのものであり、この第１給紙カセット９０の上方向から見た四隅には、本発明の一括検出部の一例としての４つのカウントリ
ーダ５２が設けられている。なお、カウントリーダ５２は、それぞれ第１カウントリーダ５２Ａ，第２カウントリーダ５２Ｂ，第３カウントリーダ５２Ｃ，第４カウントリーダ５２Ｄとして図２に示す様に区別されている。
【００４０】
このカウントリーダ５２は、ＲＦＩＤタグの数を検出することが可能なリーダであり、図１に示されている第１給紙カセット９０の上方向の高さである距離Ｂの範囲のＲＦＩＤタグを検出可能である。すなわち、第１カセット９０に積載され収容された複数枚のＲＦＩＤ用紙毎に四隅のいずれかにＲＦＩＤタグが添付されていた場合、各カウントリーダがＲＦＩＤタグを検出することで、第１カセット９０内のＲＦＩＤタグの添付位置に応じたＲＦＩＤ用紙の枚数を検出することが可能である。
【００４１】
なお、第２給紙カセット９１も図２の第１給紙カセット９０と同様の構成をしている。
【００４２】
また、本実施の形態にて用いられるＲＦＩＤ用紙は、第１給紙カセット９０ないし第２給紙カセット９１の大きさに適した長方形の用紙であり、ＲＦＩＤタグはその長方形の四隅のいずれかに添付されている。従って、ＲＦＩＤ用紙のＲＦＩＤタグはカウントリーダ５２によって的確に検出され、第１給紙カセット９０ないし第２給紙カセット９１内のＲＦＩＤ用紙におけるＲＦＩＤタグの添付位置に応じた数が正確に検出される。
【００４３】
なお、以降は説明の便宜上、ＲＦＩＤ用紙の四隅にそれぞれ添付されたＲＦＩＤタグの添付位置を「左前」，「右前」，「左後」，「右後」と表記する。なお、前記したＲＦＩＤタグは、前記した順に第１カウントリーダ５２Ａ，第２カウントリーダ５２Ｂ，第３カウントリーダ５２Ｃ，第４カウントリーダ５２Ｄによって検出される。
【００４４】
＜プリンタの電気的構成＞
続いて、プリンタ１００の電気的構成について説明する。プリンタ１００は、図３に示すように、本発明の制御部の一例としてのＣＰＵ３１と、ＲＯＭ３２と、ＲＡＭ３３と、ＮＶＲＡＭ３４と、ＡＳＩＣ３５と、ネットワークインタフェース３６と、ＦＡＸインタフェース３７とを備えた制御部３０を有している。また、プリンタ１００は、画像形成部１０，操作パネル４０，フィニッシュ部４１，リーダ５１，カウントリーダ５２などの各構成要素を有している。
【００４５】
ＣＰＵ３１は、プリンタ１００における画像形成機能などの各種機能を実現するための演算を実行し、制御の中枢となるものである。ＲＯＭ３２には、プリンタ１００を制御するための各種制御プログラムや各種設定，初期値などが記憶されている。ＲＡＭ３３は、各種制御プログラムが読み出される作業領域として、あるいは画像データを一時的に記憶する記憶領域として利用される。ＮＶＲＡＭ（Ｎｏｎ  Ｖｏｌａｔｉｌｅ  ＲＡＭ）３４は、不揮発性を有する記憶手段であって、各種設定ないし画像データなどを保存する記憶領域として利用される。
【００４６】
ＣＰＵ３１は、ＲＯＭ３２から読み出した制御プログラムや各種センサから送られる信号に従って、その処理結果をＲＡＭ３３またはＮＶＲＡＭ３４に記憶させながら、プリンタ１００の各構成要素（例えば、画像形成部１０を構成する露光装置の点灯タイミング、用紙の搬送路を構成する各種ローラの駆動モータ（不図示））を，ＡＳＩＣ３５を介して制御する。
【００４７】
ネットワークインターフェース３６は、インターネットなどのネットワークに接続され、ＰＣなどの情報処理装置との接続を可能にしている。ＦＡＸインターフェース３７は、電話回線に接続され、相手先のＦＡＸ装置との接続を可能にしている。そして、ネットワークインターフェース３６やＦＡＸインターフェース３７を介してジョブのやりとりを行
うことができる。
【００４８】
＜印刷処理＞
続いて、プリンタ１００が行うプリント処理について説明する。プリンタ１００は、第１排紙トレイ９２ないし第２排紙トレイ９３に排紙されるＲＦＩＤ用紙の向きを揃えるための機能を備えている。
【００４９】
なお、本実施の形態におけるＲＦＩＤ用紙の向きは、ＲＦＩＤ用紙上に添付されているＲＦＩＤタグの添付位置によって規定されている。なお、本実施の形態におけるＲＦＩＤタグは、ＲＦＩＤ用紙上の四隅のいずれかの位置に添付されているため、用紙の向きは４つの場合が存在する。
【００５０】
本発明における印刷処理を図４から図７を参照して説明する。図４は印刷処理の一例を示したフローチャートである。また、図５は、図４におけるＳ１０２の複数頁印刷処理の一例を示したフローチャート、図６は、図５におけるＳ２０１における給紙カセット選択処理の一例を示したフローチャート、図７は、図４におけるＳ１０３の単頁印刷処理の一例を示したフローチャートである。
【００５１】
本印刷処理は、印刷ジョブが受け付けられる度に制御部３０（ＣＰＵ３１）によって実行される。なお、印刷ジョブはネットワークインターフェイス３６に接続されているＰＣなどから送信されたジョブである。
【００５２】
まず印刷ジョブが受け付けられると、当該印刷ジョブの中の１部数分の印刷データの印刷頁数が複数頁か否かが判断される（Ｓ１０１）。ここで判断される印刷ジョブの印刷頁数は、画像形成部１０によって印刷されるＲＦＩＤ用紙の印刷枚数を判断しているのではなく、当該印刷ジョブが１部数分印刷される際に何頁分印刷するかを判断している。
【００５３】
このとき、OLE_LINK1印刷ジョブの印刷頁数が複数頁であると判断された場合（Ｓ１０
１：Ｙｅｓ）OLE_LINK1、図５にて説明する複数頁印刷処理が実行される（Ｓ１０２）。
一方、印刷ジョブの印刷頁数が複数頁ではなく、単頁であると判断された場合（Ｓ１０１：Ｎｏ）、図７にて説明する単頁印刷処理が実行される（Ｓ１０３）。複数頁印刷処理または単頁印刷処理が終了すると、本印刷処理は終了する。
【００５４】
＜複数頁印刷処理＞
次に、図４中のＳ１０２にて実行される複数頁印刷処理について図５及び図６を参照して説明する。なお、本実施の形態における複数頁印刷処理では、印刷を実行するＲＦＩＤ用紙をＲＦＩＤタグの添付位置が左前と予め設定されている。また、その他の添付位置にＲＦＩＤタグが添付されているＲＦＩＤ用紙には印刷をせず、そのＲＦＩＤ用紙は上記したＲＦＩＤタグが左前に添付されているＲＦＩＤ用紙とは別の排紙トレイに排紙する構成となっている。
【００５５】
なお、本実施の形態における複数頁印刷処理は、上記したようにＲＦＩＤタグが左前に添付されているＲＦＩＤ用紙に印刷する際の複数頁印刷処理の一例を示している。
【００５６】
Ｓ１０２にて複数頁印刷処理が実行されると、まず給紙カセット選択処理が実行される（図５のＳ２０１）。給紙カセット選択処理は後述にて説明するが、本処理により本印刷処理にて使用される給紙カセットが第１給紙カセット９０または第２給紙カセット９１のどちらかに選択される。
【００５７】
給紙カセット選択処理が終了すると、選択された第１給紙カセット９０または第２給紙
カセット９１のいずれかからＲＦＩＤ用紙が一枚給紙され、リーダ５１により給紙されたＲＦＩＤ用紙のＲＦＩＤタグの添付位置が検出される（Ｓ２０２）。その後、Ｓ２０２にて検出されたＲＦＩＤタグの添付位置が前（左前または右前のいずれか）であるか否かが判断される（Ｓ２０３）。
【００５８】
ここで、ＲＦＩＤタグの添付位置が前（左前または右前のいずれか）ではなく後（左後または右後のいずれか）であると判断された場合（Ｓ２０３：Ｎｏ）、ＲＦＩＤ用紙は画像形成部１０による印刷がなされず（以下、「空送り」という）排紙ローラ７４または排紙ローラ７５まで搬送され、排紙ローラ７４または排紙ローラ７５、スイッチバックローラ７７，７８によりスイッチバック経路７６を搬送される（以下、「スイッチバック処理」という）（Ｓ２０４）。
【００５９】
この様に処理されることで、ＲＦＩＤ用紙の搬送方向の向きが逆転する。具体的には、ＲＦＩＤタグの添付位置が左後のＲＦＩＤ用紙はＲＦＩＤタグの添付位置が左前となり、ＲＦＩＤタグの添付位置が右後のＲＦＩＤ用紙はＲＦＩＤタグの添付位置が右前となる。
【００６０】
Ｓ２０３にてＲＦＩＤタグの添付位置が前（左前または右前のいずれか）と判断された場合（Ｓ２０３：Ｙｅｓ）またはＳ２０４の処理が終了すると、次にＳ２０２にて検出されたＲＦＩＤタグの添付位置が左（左前または左後のいずれか）であるか否かが判断される（Ｓ２０５）。なお、Ｓ２０３及びＳ２０４の処理により、ＲＦＩＤ用紙のＲＦＩＤタグの添付位置は、必ず左前または右前となっている。
【００６１】
Ｓ２０５にてＲＦＩＤタグの添付位置が左（左前または左後のいずれか）と判断された場合（Ｓ２０５：Ｙｅｓ）、そのＲＦＩＤ用紙は、画像形成部１０により印刷ジョブ内の一頁分の印刷データが印刷され（Ｓ２０６）、第１排紙トレイ９２に排紙される（Ｓ２０７）。一方、Ｓ２０５にてＲＦＩＤタグの添付位置が左（左前または左後のいずれか）ではなく右（右前または右後のいずれか）と判断された場合（Ｓ２０５：Ｎｏ）、そのＲＦＩＤ用紙は、空送りが実行され（Ｓ２０８）、第２排紙トレイ９３に排紙される（Ｓ２０９）。
【００６２】
次に印刷ジョブの中で１部数分の印刷が終了したか否かが判断される（Ｓ２１０）。ここで、１部数分の印刷ジョブが終了していないと判断された場合（Ｓ２１０：Ｎｏ）、処理がＳ２０２に戻り、再度Ｓ２０２からＳ２０９の処理が実行される。一方、１部数分の印刷ジョブが終了したと判断された場合（Ｓ２１０：Ｙｅｓ）、当該印刷ジョブにフィニッシュ部４１を使用する設定がされているか否かが判断される（Ｓ２１１）。
【００６３】
なおこのフィニッシュ部４１を使用する設定は、プリンタ１００の操作パネル４０によって設定されても良いし、印刷ジョブがＰＣなどから送られる際に印刷ジョブに予め設定情報として添付されていても良い。
【００６４】
フィニッシュ部４１の使用が設定されていると判断された場合（Ｓ２１１：Ｙｅｓ）、フィニッシュ部４１が動作し第１排紙トレイ９２に積載されている用紙の束にフィニッシュ処理（パンチング処理、ホッチキス処理など）が実行される（Ｓ２１２）。
【００６５】
Ｓ２１１にてフィニッシュ部４１の使用が設定されていないと判断された場合（Ｓ２１１：Ｎｏ）またはＳ２１２の処理が終了すると、印刷ジョブが終了したか否かが判断される（Ｓ２１３）。ここで印刷ジョブが終了していないと判断された場合（Ｓ２１３：Ｎｏ）、処理がＳ２０２に戻り、再度Ｓ２０２からＳ２１２の処理が実行される。一方、印刷ジョブが終了したと判断された場合（Ｓ２１３：Ｙｅｓ）、当該複数頁印刷処理が終了し、当該印刷処理が終了する。
【００６６】
以上のように複数頁印刷処理が実行されることで、結果的に第１排紙トレイ９２にはＲＦＩＤタグが左前に添付されたＲＦＩＤ用紙が、第２排紙トレイ９３にはＲＦＩＤタグが右前に添付されたＲＦＩＤ用紙が排紙されるため、用紙の向きが揃った状態でＲＦＩＤ用紙が排紙トレイに排紙されることとなる。
【００６７】
さらに、第１排紙トレイ９２には印刷された用紙、第２排紙トレイ９３には印刷されていない用紙が排紙されることで、印刷がされた用紙と印刷がされていない用紙とを別の排紙トレイに排紙することが可能である。
【００６８】
また、フィニッシュ部４１の使用が設定されている印刷ジョブには、１部数ごとにフィニッシュ処理が実行されるため、適切な用紙の束を作成することが可能である。
【００６９】
＜給紙カセット選択処理＞
次に、図５中のＳ２０１にて実行される給紙カセット選択処理について図６を参照して説明する。本処理が実行されることで、ユーザの要望に沿った給紙カセットが選択可能である。
【００７０】
Ｓ２０１にて給紙カセット選択処理が実行されると、まずカウントリーダ５２（第１カウントリーダ５２Ａ，第２カウントリーダ５２Ｂ，第３カウントリーダ５２Ｃ，第４カウントリーダ５２Ｄ）によって第１給紙カセット９０及び第２給紙カセット９１内のＲＦＩＤタグの添付位置に応じたＲＦＩＤ用紙の枚数が検出される（Ｓ３０１）。即ち、第１給紙カセット９０または第２給紙カセット９１の中に格納されている複数毎のＲＦＩＤ用紙が、ＲＦＩＤタグの添付位置応じて何枚づつ格納されているかを検出している。
【００７１】
次にユーザにより印刷速度を優先する設定がされているか否かが判断される（Ｓ３０２）。ここで、印刷速度を優先する設定がされていると判断された場合（Ｓ３０２：Ｙｅｓ）、後の処理（Ｓ３０６）にて使用する添付位置前フラグが立てられる（Ｓ３０３）。一方、印刷速度を優先する設定がされていないと判断された場合（Ｓ３０２：Ｎｏ）またはＳ３０３の処理が終了すると、フィニッシュ部４１を使用する設定がされているか否かが判断される（Ｓ３０４）。
【００７２】
フィニッシュ部４１を使用する設定がされていると判断された場合（Ｓ３０４：Ｙｅｓ）、Ｓ３０３と同様に、後の処理（Ｓ３０６）にて使用する添付位置左フラグが立てられる（Ｓ３０５）。一方、フィニッシュ部４１を使用する設定がされていないと判断された場合（Ｓ３０４：Ｎｏ）またはＳ３０５の処理が終了すると、Ｓ３０２からＳ３０５の処理にて立てられたフラグに応じて第１給紙カセット９０または第２給紙カセット９１のいずれかの給紙カセットが選択される（Ｓ３０６）。
【００７３】
このＳ３０６による給紙カセットの選択は、フラグの立ち方に応じて変化する。
【００７４】
Ｓ３０３によって添付位置前フラグのみが立てられている場合は、ＲＦＩＤタグが左前と右前に添付されているＲＦＩＤ用紙をそれぞれ足し合わせた枚数が多く検出された給紙カセットが選択される。
【００７５】
本実施の形態の場合、前述したように複数頁印刷処理にてＲＦＩＤタグの添付位置が後（左後または右後のいずれか）のＲＦＩＤ用紙については、図５のＳ２０４にてスイッチバックされる。即ち、ＲＦＩＤタグの添付位置が前（左前または右前のいずれか）のＲＦＩＤ用紙が多く格納されている給紙カセットによって給紙されれば、Ｓ２０４によるスイッチバックの回数を抑えられるため、比較的早く印刷処理が可能である。
【００７６】
また、Ｓ３０５によって添付位置左フラグのみが立てられている場合は、ＲＦＩＤタグが左前と左後に添付されているＲＦＩＤ用紙をそれぞれ足し合わせた枚数が多く検出された給紙カセットが選択される。
【００７７】
本実施の形態の場合、前述したように複数頁印刷処理にてＲＦＩＤタグの添付位置が左前のＲＦＩＤ用紙について印刷を実行し（図５のＳ２０６）、その印刷されたＲＦＩＤ用紙の１部数分にフィニッシュ処理（図５のＳ２１２）を実行する。即ち、ＲＦＩＤタグの添付位置が左前または左後のいずれかのＲＦＩＤ用紙が多く格納されている給紙カセットによって給紙されれば、給紙カセットの用紙切れを出来るだけ回避しつつ印刷が実行可能である。
【００７８】
さらに、Ｓ３０３及びＳ３０５によって添付位置前フラグと添付位置左フラグが共に立てられている場合は、ＲＦＩＤタグが左前に添付されているＲＦＩＤ用紙の枚数が多く検出された給紙カセットが選択される。これによれば上記した二つの効果を同時に達成することが出来る。なお、Ｓ３０２からＳ３０５の処理によりフラグが立てられなかった場合は、デフォルトに設定されている給紙カセットや、ユーザが指定した給紙カセットが選択される。
【００７９】
このようにしてＳ３０６の処理が終了すると、当該給紙カセット選択処理が終了する。
【００８０】
なお、Ｓ３０２及びＳ３０４にて判断に使用する、印刷速度を優先する設定やフィニッシュ部４１を使用する設定は、図５のＳ２１１の判断と同様に、プリンタ１００の操作パネル４０によって設定されても良いし、印刷ジョブがＰＣなどから送られる際に印刷ジョブに予め設定情報として添付されていても良い。
【００８１】
以上のように給紙カセット選択処理により、ユーザの要望に沿った給紙カセットが選択可能である。
【００８２】
＜単頁印刷処理＞
最後に、図４中のＳ１０３にて実行される単頁印刷処理について図７を参照して説明する。なお、本実施の形態における単頁印刷処理では、印刷を実行するＲＦＩＤ用紙をＲＦＩＤタグの添付位置が左前または右後と予め設定されている。なお、本実施の形態における単頁印刷処理は、上記したようにＲＦＩＤタグが左前または右後に添付されているＲＦＩＤ用紙に印刷する際の単頁印刷処理の一例を示している。
【００８３】
Ｓ１０３にて単頁印刷処理が実行されると、図６のＳ３０１と同様にカウントリーダ５２によって第１給紙カセット９０及び第２給紙カセット９１内のＲＦＩＤタグの添付位置に応じたＲＦＩＤ用紙の枚数が検出される（Ｓ４０１）。そして、第１給紙カセット９０及び第２給紙カセット９１の内、ＲＦＩＤタグの添付位置が左前と右前に添付されているＲＦＩＤ用紙をそれぞれ足し合わせた枚数が多く検出された給紙カセットが選択される（Ｓ４０２）。
【００８４】
次に、図５のＳ２０２と同様に、選択された第１給紙カセット９０または第２給紙カセット９１のいずれかからＲＦＩＤ用紙が一枚給紙され、リーダ５１により給紙されたＲＦＩＤ用紙のＲＦＩＤタグの添付位置が検出される（Ｓ４０３）。その後、Ｓ２０３と同様に、Ｓ４０３にて検出されたＲＦＩＤタグの添付位置が前（左前または右前のいずれか）であるか否かが判断される（Ｓ４０４）。
【００８５】
ここで、ＲＦＩＤタグの添付位置が前（左前または右前のいずれか）と判断された場合
（Ｓ４０４：Ｙｅｓ）、Ｓ４０３にて検出されたＲＦＩＤタグの添付位置が左前であるか否かが判断される（Ｓ４０５）。このとき、ＲＦＩＤタグの添付位置が左前と判断された場合（Ｓ４０５：Ｙｅｓ）、そのＲＦＩＤ用紙は、Ｓ２０６と同様に、画像形成部１０により印刷ジョブ内の一頁分の印刷データが印刷される（Ｓ４０６）。
【００８６】
一方、Ｓ４０４にてＲＦＩＤタグの添付位置が前（左前または右前のいずれか）ではなく後（左後または右後のいずれか）であると判断された場合（Ｓ４０４：Ｎｏ）、次にＲＦＩＤタグの添付位置が右後であるか否かが判断される（Ｓ４０７）。ここで、ＲＦＩＤタグの添付位置が右後と判断された場合（Ｓ４０７：Ｙｅｓ）、印刷ジョブ内の一頁分の印刷データの天地を逆にして画像形成部１０にて印刷を実行する（Ｓ４０８）。この様に処理することで、印刷された向きから印刷済みのＲＦＩＤ用紙を見ると、ＲＦＩＤタグの添付位置が左前となる。
【００８７】
さらに、Ｓ４０７にて、ＲＦＩＤタグの添付位置が右後ではなく左後と判断された場合（Ｓ４０７：Ｎｏ）、Ｓ２０４と同様に、ＲＦＩＤ用紙を空送りしてからスイッチバック処理を実行する（Ｓ４０９）。その後、Ｓ４０６にて印刷処理を実行する。この様に処理することで、ＲＦＩＤタグが左上に添付された状態で、印刷が可能である。
【００８８】
また、Ｓ４０５にて、ＲＦＩＤタグの添付位置が左前ではなく左後と判断された場合（Ｓ４０５：Ｎｏ）、Ｓ２０４及びＳ４０９と同様に、ＲＦＩＤ用紙を空送りしてからスイッチバック処理を実行する（Ｓ４１０）。その後、Ｓ４０８にて印刷ジョブ内の一頁分の印刷データの天地を逆にして印刷処理を実行する。この様に処理することで、印刷された向きから印刷済みのＲＦＩＤ用紙を見ると、ＲＦＩＤタグの添付位置が左前となる。
【００８９】
Ｓ４０６及びＳ４０８にて印刷が終了すると、Ｓ２０７と同様に、第１排紙トレイ９２に排紙される（Ｓ４１１）。その後、Ｓ２１３と同様に、印刷ジョブが終了したか否かが判断される（Ｓ４１２）。ここで印刷ジョブが終了していないと判断された場合（Ｓ４１２：Ｎｏ）、処理がＳ４０３に戻り、再度Ｓ４０３からＳ４１１の処理が実行される。一方、印刷ジョブが終了したと判断された場合（Ｓ４１２：Ｙｅｓ）、当該単頁印刷処理が終了し、当該印刷処理が終了する。
【００９０】
以上のように単頁印刷処理が実行されることで、第１排紙トレイ９２にＲＦＩＤタグが左前及び右後に添付されたＲＦＩＤ用紙が、印刷され排紙される。印刷ジョブの印刷頁数が単頁の場合、排紙された用紙の束を一つのまとまりとして用いられる可能性が少ない。従って、上述したように同じ排紙トレイにＲＦＩＤ用紙の向きが揃っていなくても、問題となることが少ない。
【００９１】
なお、本実施の形態における印刷処理の処理中に、図６のＳ３０６または図７のＳ４０２にて選択された給紙カセットのＲＦＩＤ用紙が用紙切れとなった場合は、他方の給紙カセットから用紙を給紙しても良いし、片方の給紙カセットが用紙切れとなった場合に印刷処理を一旦停止しても良いし、両方の給紙カセットが用紙切れとなった場合に印刷処理を一旦停止しても良い。
【００９２】
特に複数頁印刷処理の際に用紙切れとなった場合は、用紙切れとなる前までの複数頁印刷処理によって第２排紙トレイ９３にＲＦＩＤタグが右前に添付されたＲＦＩＤ用紙が積載されている可能性がある。よって、複数頁印刷処理を一旦止めて、ユーザの手により第２排紙トレイ９３に積載されたＲＦＩＤ用紙の束を向きに考慮して給紙カセットに格納すれば、格納以後に迅速な印刷が可能である。
【００９３】
以上詳細に説明したように、プリンタ１００は、第１排紙トレイ９２ないし第２排紙ト
レイ９３に排紙されるＲＦＩＤ用紙の向きを揃える事が可能である。また、向きを揃える必要のない印刷ジョブに対しては向きを揃えない制御を実行する。
【００９４】
＜他の実施形態＞
なお、本実施の形態は単なる例示にすぎず、本発明を何ら限定するものではない。したがって本発明は当然に、その要旨を逸脱しない範囲内で種々の改良、変形が可能である。
【００９５】
（１）例えば、プリンタに限らず、複合機、コピー機等、印刷機能を備えるものであれば適用可能である。また、画像形成部の画像形成方式は、電子写真方式に限らず、インクジェット方式であってもよい。また、カラー画像の形成が可能であっても、モノクロ画像専用であってもよい。
【００９６】
（２）さらに、印刷機能を備えないものでも適用可能である。即ち、用紙の向きの検出と搬送のみが可能であり、複数の排紙トレイを備える装置であれば、向きの揃った用紙の束を作り出すことが可能である。この様に揃えられた用紙の束は、例えばユーザによって印刷装置の給紙カセットに格納されることで、用紙の向きの揃った印刷を容易に実行可能である。
【００９７】
（３）また、用紙の向きの検出はＲＦＩＤタグによるものでなくても良い。例えば、用紙の片面にヘッダ情報やバーコードなどの情報が表記されている場合、その情報を読み取ることで用紙の向きを検出可能である。
【００９８】
（４）上記実施の形態では複数頁印刷処理の場合はＲＦＩＤ用紙の左前に単頁印刷処理の場合はＲＦＩＤ用紙の左前または右後に、ＲＦＩＤタグが添付されている場合に画像形成部１０による印刷が実行されたるように予め設定されている。しかしながら当然、印刷されるＲＦＩＤ用紙のＲＦＩＤタグの添付位置は変更可能である。その場合、複数頁印刷処理及び単頁印刷処理におけるＳ２０３，Ｓ２０５，Ｓ４０４，Ｓ４０５，Ｓ４０７の判断基準が変更される。なお、上記設定は、例えばプリンタ１００の操作パネル４０により設定可能でも良いし、ＰＣなどから送られる印刷ジョブに設定情報を含めて印刷ジョブ毎に設定可能でも良い。
【００９９】
（５）さらに、ＲＦＩＤ用紙の向きとして４つの場合でなくても良い。例えば、上記実施の形態におけるＲＦＩＤ用紙の方向である、前と後または右と左の２つの位置にＲＦＩＤタグを添付することで、ＲＦＩＤ用紙の向きを２つの場合に分けても良いし、さらにＲＦＩＤタグの添付位置を増やすことで、ＲＦＩＤ用紙の向きを４つ以上の場合に分けても良い。
【０１００】
（６）また、排紙トレイの数は複数であれば２つ以上でも良い。例えば、上記実施の形態のようにＲＦＩＤ用紙の向きとして４つの場合が存在する場合、排紙トレイも４つ備えられれば、上記実施形態のスイッチバック処理は必要なく、空送りと印刷を実行することで、ＲＦＩＤ用紙をそれぞれの向きに揃えた用紙の束を作ることが可能である。
【０１０１】
（７）さらに、給紙カセットの数は２つ以上でも良い。給紙カセットを多く備えることで、給紙トレイの選択の幅が広がり、より適切な給紙カセットを選択可能である。
【０１０２】
（８）また、単頁印刷処理はなくても良い。全ての印刷処理は複数頁印刷処理であることで、どのような印刷ジョブであっても、排紙されたＲＦＩＤ用紙がそれぞれ印刷された用紙と印刷されていない用紙に分かれ揃えられて排紙させることが可能である。
【符号の説明】
【０１０３】
１０    画像形成部
３０    制御部
３１    ＣＰＵ
３２    ＲＯＭ
３３    ＲＡＭ
３４    ＮＶＲＡＭ
３５    ＡＳＩＣ
４１    フィニッシュ部
５１    リーダ
５２    カウントリーダ
７２，７３    給紙ローラ
７４，７５    排紙ローラ
７７，７８    スイッチバックローラ
９０    第１給紙カセット
９１    第２給紙カセット
９２    第１排紙トレイ
９２    第２排紙トレイ
１００  プリンタ
【図１】
2010179991.tif 000003
【図２】
2010179991.tif 000004
【図３】
2010179991.tif 000005
【図４】
2010179991.tif 000006
【図５】
2010179991.tif 000007
【図６】
2010179991.tif 000008
【図７】
2010179991.tif 000009